(57)【要約】【課題】実験動物に超低周波磁界を印加することで、薬効を促進し、さらに自然治癒力を促進することが出来る。この発明により、新薬開発期間、製薬期間が大幅に短縮され、製薬産業を大きく発展させる。【解決手段】実験動物に、導線コイルに超低周波電流を通電して超低周波磁界を印加する。または、磁化石集団または磁化石を骨材としたコンクリートを実験動物のケージの下に設置する方法により、頻繁に行動する実験動物の身体に相対的に超低周波磁界を印加する。静止している実験動物の血液細胞や血漿は血流となって移動するので、相対的に超低周波磁界が印加される。この超低周波により、実験動物体内の水分の中に自由プロトンが発生して、薬物の生化学反応を促進して薬効を促進し、薬効終了後は、細胞内のATP生成能の向上により、自然治癒力が促進する。【選択図】図３
2015139602.tif 000002
【特許請求の範囲】
【請求項１】
実験動物に超低周波磁界を印加することを特徴とする、実験動物の薬効促進および自然治癒力促進方法。
【請求項２】
前記超低周波磁界の印加方法は、導線コイルに超低周波電流を通電して印加する方法、又は、磁化石の集合体若しくは磁化石を骨材としたコンクリートを用いる方法であることを特徴とする、請求項１記載の実験動物の薬効促進および自然治癒力促進方法。
【請求項３】
前記実験動物は、マウスであることを特徴とする、請求項１又は２に記載の実験動物の薬効促進および自然治癒力促進方法。
【請求項４】
実験動物に超低周波磁界を印加する手段を有することを特徴とする、実験動物の薬効促進および自然治癒力促進装置。
【請求項５】
前記超低周波磁界の印加手段は、導線コイルに超低周波電流を通電して印加する手段、又は、磁化石の集合体若しくは磁化石を骨材としたコンクリートを用いる手段であることを特徴とする、請求項４記載の実験動物の薬効促進および自然治癒力促進装置。
【請求項６】
前記実験動物は、マウスであることを特徴とする、請求項４又は５に記載の実験動物の薬効促進および自然治癒力促進装置。
【発明の詳細な説明】
【技術分野】
【０００１】
本発明は、実験動物の薬効促進および自然治癒力促進の技術全般に関する。さらに、新薬開発・創薬技術および製薬技術全般に関する。
【背景技術】
【０００２】
医療の世界的規模での発展と普及が加速され、その中核である新規薬剤の開発に当たって、実験動物での薬効の発現の効率化と期間の短縮が、益々要求されている。
これに対して、実験目的に対応した種々の医学実験動物が開発されているが、それらの実験動物における薬効促進や自然治癒力の促進などに関する新技術は、報告されていない。
【０００３】
一方、発明者の一人は、名古屋大学工学部在職時の2001年から、京都大学医学部の福島雅典教授（現名誉教授）との共同研究により、超低周波（ELF）磁界により純水の電気抵抗率が減少する新現象を発見し、これが水中の自由プロトンの増加を要因とするものとした仮設原理「磁気プロトニクス原理」（非特許文献１）を提唱した。そしてこの水中自由プロトンの増加により、生物細胞中のATP生成能が向上することにより、生物活性機能が現れることを理論的に予測し、ヒトを含む生物の細胞レベルの活性化（非特許文献２；ヒト好中球の貪食能の増強効果）、狭心症手術後のメタボリックシンドローム回復効果（非特許文献３）、居眠り運転防止覚醒効果（非特許文献４）など種々の検証を得ている。
【０００４】
さらに、非生物において、水中の自由プロトンの働きによると考えられる化学反応の促進効果による、ATPなしでのルシフェリン・ルシフェラーゼ反応蛍光発光現象（非特許文献５）および高強度コンクリートの実現（非特許文献６）の成果を得、これを基礎に生物内での薬剤の効果の促進の可能性を予測した。なお、この高強度コンクリートは、磁化砕石骨材で実現されるもので、コンクリート自身が表面に生物活性（生化学反応活性）・化学反応活性の周期パルス分布磁界を永久的に発生するものである。この生物活性・高強度コンクリート技術は、内閣府経済社会総合研究所「回復力のある社会の構築に求められる科学技術イノベーションに関する調査研究」研究会報告（平成25年7月）の附属資料「2030年の芽」No.73に掲載されている。
【先行技術文献】
【非特許文献】
【０００５】
【非特許文献１】K. Mohri and M. Fukushima, Milligauss magnetic field triggering reliable self organization of water with long range ordered proton transport through cyclotron resonance, IEEE Trans. Magn., Vol.39, No.5, pp.3328-3330, 2003.
【非特許文献２】M. Fukushima, K. Mohri, T. Kataoka, and M. Matsumoto, Milligauss pulsed magnetic field applied phosphate buffered saline solution elevates intracellular Ca2+ level and stimulates phagocytic activity in human neutrophils, Trans. Mag. Soc. Jpn, vol.2, no.2, pp.15-18, 2002.
【非特許文献３】K. Mohri, Y. Inden, M. Yamada and Y. Mohri, Health Recovery Effect of Physiological Magnetic Stimulation on Elder Person's Immunity Source Area with Transition of ECG and EEG, PIERS Proceedings, Kuala Lumpur, MALAYSIA, March 27-30,2012, pp.240-244.
【非特許文献４】K. Mohri, T. Uchiyama, M. Yamada, Y. Mohri, K. Endo, T. Suzuki, and Y. Inden, Physiological Magnetic Stimulation for Arousal of Elderly Car Driver Evaluated with Electro-Encephalogram and Spine Magnetic Field, IEEE Trans. Magn., Vol.48, No.11, pp.3505-3508, 2012.
【非特許文献５】M. Fukushima, T. Kataoka, N. Sugiyama, K. Mohri, Milligauss magnetic field applied water exert and induce firefly luciferine-luciferase luminescence and induce intracellular calsium elevation of CHO cells without ATP, IEEE Trans. Magn., Vol.41, No.10, pp.4188-4190, 2005.
【非特許文献６】K. Mohri, M. Sasaki, T. Uemura, Y. Mohri, M. Yamada, and T. Kato, Progress In Electromagnetics Research Symposium Proceeding, Taipei, March 25-28, 2013, pp.1057-1060, 2013.
【発明の概要】
【発明が解決しようとする課題】
【０００６】
本発明は、磁気プロトニクス原理を適用し、医学実験動物体内での薬効促進および自然治癒力増強を生起させる方法及び装置を提供することを目的とするものである。
【課題を解決するための手段】
【０００７】
本発明の実験動物の薬効促進および自然治癒力促進方法は、実験動物に超低周波磁界を印加することを特徴とする。ここで、低周波磁界の印加方法は、導線コイルに超低周波電流を通電して印加する方法、又は、磁化石の集合体若しくは磁化石を骨材としたコンクリートを用いる方法が挙げられる。また、前記実験動物は、マウスであることができる。
【０００８】
さらに、本発明の実験動物の薬効促進および自然治癒力促進装置は、実験動物に超低周波磁界を印加する手段を有することを特徴とする。ここで、低周波磁界の印加手段は、導線コイルに超低周波電流を通電して印加する手段、又は、磁化石の集合体若しくは磁化石を骨材としたコンクリートを用いる手段が挙げられる。また、前記実験動物は、マウスであることができる。
【０００９】
本発明者は、実験動物に磁気プロトニクス原理を生起させるELF磁界を印加する方法として、発振器と磁界発生コイルの組み合わせの方法または、かんらん岩などの自然石強磁性体や酸化スラグなどの人工強磁性体の磁化砕石を、平板または立体的な集団として配置する方法、またはこれらの磁化砕石を骨材とするコンクリート材を配置する方法、さらには、磁性粉末を造粒・焼結し、周期配列のゴム被覆シートを配列する方法を採る。
【００１０】
これらの磁化砕石集団では、砕石磁性体の相互作用により、集団として空間的に周期的な静止パルス磁界分布を形成する。この空間的周期分布磁界中を、動物の血液細胞などが秒速数センチメートル以上で通過するので、生体細胞水が相対的に超低周波磁界を受けることになり、自由プロトンが発生する。この状況は、実験小動物の頻繁な移動行動によって強調される。
【発明の効果】
【００１１】
実験用動物にELF磁界を印加することにより、動物体内に注入した病気化薬剤の生化学反応を促進させて薬効を増強する。ついで薬効が消失した後は、動物体内の細胞におけるATP生成能の増強により、自然治癒力が増強して、病気回復が促進される。本発明により、新薬、創薬の開発期間が大幅に短縮され、医学・医療の発展と人類への福祉に大きく貢献する。
【図面の簡単な説明】
【００１２】
【図１】磁性かんらん岩骨材コンクリートボード収納箱の上に、マウスを収容した透明ケースを置いた状態を示す写真図である。
【図２】磁化コンクリートボード表面の磁界分布を示すグラフ図である。
【図３】糖尿病化マウス群のケージスワッピング前後の血糖値推移を示すグラフ図である。
【図４】磁化石ボード上でのザー菜苗成長促進を示す写真図である。
【発明を実施するための形態】
【００１３】
実験用動物として、最も一般的な実験用マウスを用いた。この実験用マウスへの長期間に亘るELF磁界の印加方法としては、飼育ケージの下に磁化かんらん岩骨材のコンクリートボードを設置する方法とした。この磁化コンクリートの表面には、２，３ｃｍ周期でパルス磁界勾配分布の表面磁界が永久的に発生しており、この磁界中をマウスが頻繁に移動するため、マウス自身は相対的にELF磁界を浴びることになる。マウスが静止している場合は、体内の血液細胞や血漿は秒速数ｃｍ以上で血流となって移動しており、やはりELF磁界を浴びることになる。
【実施例１】
【００１４】
４週齢雄性ICRアルビノマウス各6匹を2個の透明ケージ（底面幅13 cm、長さ24 cm）に収容し、１群6匹のケージを、図１のように、ケージ底面と同寸法の磁化かんらん岩骨材コンクリートボード（箱の高さは2.3 cm）の上に置いた。尚、磁化かんらん岩骨材コンクリートボードは、０．５〜２ｃｍ前後の粒径の三重県菅島産の磁性かんらん岩（鶴田石材株式会社製；商品名「２００５」）のうち、磁石につくものを選別し、内部の幅約１３ｃｍ、長さ約２４ｃｍ、高さ約２ｃｍの木製箱に収容し、コンクリートで固めて作成した。表面磁界の大きさは、図２のように、表面部でパルス磁界ピークが約２００ミリガウス、ボード上１５ｃｍで約３ミリガウスあり、マウスは行動範囲すべてで生体活性磁界を浴びる。尚、図２のパルス磁界勾配高密度測定結果において、左の図は、幅方向に左端から３ｃｍの箇所を長さ方向に測定した結果であり、一方、右の図は、幅方向に右端から３ｃｍの箇所を長さ方向に測定した結果である。また、ボード１とボード２の２枚の測定結果を示しているが、本実施例では、ボード１を使用した。
【００１５】
全てのマウスに６週齢で100 mg / kg １回、７週齢で 125 mg / kg １回の２日連続で、I型糖尿病化薬剤 streptozotocin (STZ) を腹腔投与した。和光純薬工業（株）製STZを生理食塩水に溶解し、日本ベクトン・ディッキンソン（株）BDロードーズ ( 3 / 10 mL, 8 mm)を用いて腹腔投与した。腹腔投与は、静脈内投与より簡単であり、マウス・ラット実験ノート（羊土社）の解説の、両投与で吸収は同程度である、との記述を参照した。
【００１６】
マウスの血糖値測定は、腹腔投与後２週目から実施した。ニプロフリースタイルフラッシュ（NIPRO）を使用し、測定マウスを朝から８時間絶食させ、夕方に実施した。尾静脈を替え刃メスで切り、出た血液を自己血糖測定器の説明書に従って測定した。
【００１７】
腹腔投与終了後９週目の１６週齢で、両グループのケージをスワッピングした。すなわち、ELF磁界浴を交代させた。スワッピング後は、毎週血糖値を測定した。
図３は、血糖値の推移である。７週齢腹腔投与後２週間の９週齢で、磁界側６匹平均値、磁界なし（コントロール）側６匹平均値ともに、約200 mg / dL  で同程度であるが、１２週齢で、磁界側では約 460 mg / dL、磁界なし側で約210 mg / dL  であり、磁界の影響が大きく出ている。腹腔投与後約１ヶ月である。これは、ELF磁界によるSTZ薬効効果の増強と考えられる。これは、ELF磁界で、ラット体内細胞水分中に自由プロトンが発生し、STZ薬剤の生化学反応が促進され,  血糖値が急増したと考えられる。
【００１８】
１６週齢で、両グループをスワッピングして、磁界のあり、なしを交換したが、元対照側（磁界なし側）にELF磁界を与えたところ、１週間で血糖値が約460 mg / dL  に増加し、やはりELF磁界の薬効促進効果が現れている。スワッピング後３週間で、ELF磁界中で血糖値は約 200 mg / dL 以下に急減している。ELF磁界なしでは、血糖値はまだ約260 mg / dL の高い値を保持している。これは、STZ  薬効が終了し始め、マウスの自然治癒力で
糖尿病からの回復期に入ったと見られ、ELF磁界によりマウス体内細胞でのATP生成能の
向上によって、血糖値が急減し始めたと考えられる。
【００１９】
なお、実施例は、各6匹のマウスを対象とした小規模パイロットテストの段階であり、本実験単独での判定は困難であるが、実施例で使用したものと同様の磁化石ボードを使用したザー菜苗（図４）、タカノツメ苗、ミニ白菜苗、カリフラワー苗などの一連のプランター露地栽培実験で、すべてにおいて植物活性効果が顕著に出ているため、それとの類推から、本マウス実験でのELF磁界効果を確信するものである。
【産業上の利用可能性】
【００２０】
本発明により、簡単で安定な磁化ボード上で飼育するマウスにおいて、病気化薬効が顕著に促進され、また薬効終了後は、自己治癒能力が向上することによって、病気回復が急速に進行することを利用し、実験動物を用いた薬剤開発の期間が大幅に短縮される。したがって、製薬産業に大きく貢献する。
【図１】
2015139602.tif 000003
【図２】
2015139602.tif 000004
【図３】
2015139602.tif 000005
【図４】
2015139602.tif 000006